(57)【要約】      （修正有）【課題】段ボール材からなる従来のラップアラウンド式包装体において、輸送上の落下や衝撃により側板のスリットが破壊されて内容商品が損傷する、開梱を行なう際に側板のスリットに沿って破壊されないことで内容商品が取り出せない、包装体を平伏上状態にできない等の問題を解決する。【解決手段】側板から天板が分離、又は天板と側板が天板と側板の角から分離して内容商品が取り出せるスリットが加工されている包装体であって、ＴＤ方向（横方向）に中空が流れている方向を有する側板に天板と底板の境界線上に９０度の角度で天板と側板のりょう及び底板と側板のりょうに向かって直線に２本のスリットが加工してあり、側板から天板に接するりょうの直線及び側板から底板に接するりょうの直線に加工しているスリットから側板と天板に接する角に向かってスリットが加工されている。【選択図】図１
2017210277.tif 000002
【特許請求の範囲】
【請求項１】
展開された段ボールを折り曲げて組み立てることにより直方体（立方体を含む）形状の箱体が形成されるラップアラウンド式の側板から天板が分離、又は天板と側板が天板と側板の角から分離して内容商品が取り出せるスリットが加工されている包装体であって、ＴＤ方向（横方向）に中空が流れている方向を有する側板に天板と底板の境界線上に９０度の角度で天板と側板のりょうおよび底板と側板のりょうに向かって直線に２本のスリットが加工してあり、側板から天板に接するりょうの直線および側板から底板に接するりょうの直線に加工しているスリットから側板と天板に接する角に向かってスリットが加工されているものであること特徴とする段ボール包装体。
【請求項２】
展開された段ボールを折り曲げて組み立てることにより直方体（立方体を含む）形状の箱体が形成されるラップアラウンド式の天板と側板が天板と側板の角から分離して内容商品が取り出せるスリットが加工されている包装体であって、ＴＤ方向（横方向）に中空が流れている方向を有する側板に天板と底板の境界線上に９０度の角度で天板と側板のりょうおよび底板と側板のりょうに向かって直線に２本のスリットが加工してあり、側板から天板に接するりょうの直線に加工しているスリットから側板と天板に接する角および側板と底板に接する角に向かってスリットが加工されているものであること特徴とする段ボール包装体。
【請求項３】
加工を行なうスリットは、ＴＤ方向（横方向）に中空が流れている方向を有する側板の２箇所である請求項１又は２いずれかに記載の段ボール包装体。
【請求項４】
２箇所のＴＤ方向（横方向）に中空が流れている方向を有する側板に存在する天板と底板の境界線からスリットの破壊が行なえるように、境界線に開封口が設けられたものである請求項３記載の段ボール包装体。
【請求項５】
２箇所のＴＤ方向（横方向）に中空が流れている方向を有する側板に存在する天板と底板の境界線からスリットの破壊が行なえるように、境界線部分には２ｍｍ以上の隙間が設けられたものである請求項３記載の段ボール包装体。
【発明の詳細な説明】
【技術分野】
【０００１】
本発明は、簡単に開梱でき、内容物を取り出した後の廃棄処理も容易であって、輸搬送中或いは保管中の内容物保護も効果的に成し得る段ボール包装体の構造に関するものである。
【背景技術】
【０００２】
包装体を簡単に開梱でき、且つ内容商品を簡単に取り出した後に開梱を行なった包装体を平伏上状態にできることで廃棄処理が容易になる段ボール材からなるラップアラウンド式の包装体が使用されており、このような状況に鑑みて、包装体を簡単に開梱でき、且つ内容商品を簡単に取り出した後に開梱を行なった包装体を平伏上状態にできる段ボール材からなるラップアラウンド式の包装体が開示されている。
【先行技術文献】
【特許文献】
【０００３】
【特許文献１】特開平９−２０７９３３号公報
【特許文献２】特開平９−２０７９３４号公報
【発明の概要】
【発明が解決しようとする課題】
【０００４】
しかしながら、前記の包装体によれば、対面する２箇所の側板に開封口を構成し、対面する２箇所の側板の何れにおいても開梱を行なうスリットは天板と底板の境界線上から側板と天板に接するりょうに直線状に加工されていることで、包装体に輸送上の落下および衝撃により側板のスリットが破壊されて内容商品が損傷して商品価値を損なう懸念があり、且つ開梱を行なう際に側板のスリットに沿って破壊されないことで内容商品が取り出せない懸念および包装体を平伏上状態にできない問題が解決されていなかった。
【課題を解決するための手段】
【０００５】
そこで本発明者らは、上記点に鑑み鋭意研究の結果遂に本発明を成したものであり、その特徴とするところは、展開された段ボールを折り曲げて組み立てることにより直方体（立方体を含む）形状の箱体が形成されるラップアラウンド式の側板から天板が分離、又は天板と側板が天板と側板の角から分離して内容商品が取り出せるスリットが加工されている包装体であって、ＴＤ方向（横方向）に中空が流れている方向を有する側板に天板と底板の境界線上に９０度の角度で天板と側板のりょうおよび底板と側板のりょうに向かって直線に２本のスリットが加工してあり、側板から天板に接するりょうの直線および側板から底板に接するりょうの直線に加工しているスリットから側板と天板に接する角に向かってスリットが加工されている点、並びに、展開された段ボールを折り曲げて組み立てることにより直方体（立方体を含む）形状の箱体が形成されるラップアラウンド式の天板と側板が天板と側板の角から分離して内容商品が取り出せるスリットが加工されている包装体であって、ＴＤ方向（横方向）に中空が流れている方向を有する側板に天板と底板の境界線上に９０度の角度で天板と側板のりょうおよび底板と側板のりょうに向かって直線に２本のスリットが加工してあり、側板から天板に接するりょうの直線に加工しているスリットから側板と天板に接する角および側板と底板に接する角に向かってスリットが加工されている点にある。
【発明の効果】
【０００６】
本発明に係る易開梱段ボール包装体によれば、ＴＤ方向（横方向）に中空が流れている方向を有する側板に加工されているスリットは側板の開梱を行なうと確実にスリットが破壊されて側板から天板が分離、又は側板と天板が共に包装体から分離、又は側板と天板が共に天板と側板の角から分離して、内容商品を取り出した後に包装体を平伏上状態にでき、ＴＤ方向（横方向）に中空が流れている方向を有する側板に加工が施されるスリットの形状は包装体に輸送上の落下および衝撃によってスリットが破壊されることを抑制し、包装体のスリットが破壊されることによって発生する内容商品の商品価値を損なう損傷を抑制できる。
また包装体が平伏上状態となるので、内容商品を確実に取り出すことが可能であるので、本来期待すべき易開梱段ボール包装体の機能が十分に発揮される。
更に、本発明の易開梱段ボール包装体は開梱用のカットテープを必要としないことから資材コストが低減できる。
【図面の簡単な説明】
【０００７】
【図１】実施形態の一例である段ボール包装体の展開図である。
【図２】実施形態の一例である易開梱段ボール包装体の展開図である。
【図３】実施形態の一例である易開梱段ボール包装体の概略斜視図である。
【図４】実施形態の一例である易開梱段ボール包装体の概略斜視図である。
【図５】実施形態の他の一例である易開梱段ボール包装体の概略斜視図である。
【図６】実施形態の他の一例である易開梱段ボール包装体の概略斜視図である。
【図７】実施形態の他の一例である易開梱段ボール包装体の概略斜視図である。
【図８】（ａ）（ｂ）は実施形態の他の一例である易開梱段ボール包装体の展開図である。
【発明を実施するための形態】
【実施例】
【０００８】
以下、図面を参照しながら実施形態の一例について詳細に説明する。
実施形態の説明で参照する図面は模式的に記載されたものであり、スリット加工箇所および形状などは現物と異なる場合がある。具体的なスリットの長さおよびスリット加工箇所位置およびスリット形状などは以下の説明を参酌して判断されるべきである。
【０００９】
図１は実施形態の一例である段ボール包装体の展開図であり、図２は実施形態の一例である易開梱段ボール包装体の展開図である。図３は実施形態の一例である易開梱段ボール包装体の成形図であり、図面の明瞭化の観点から内容商品が隠れる部分も実線で示している。
図１および図２および図３に例示するように、側板ａは天板ｂと底板ｃの境界線上にある２箇所の開封口ｄから天板ｂの方向に開封することで、境界線1から９０度の角度で天板ｂと側板ａのりょうｇに向かって直線に加工している２本のスリット２が破壊される。
【００１０】
側板ａから天板ｂに接するりょうｇの直線に加工しているスリット２から側板ａと天板ｂに接する角ｆに向かって加工されているスリット３が破壊され、天板ｂに加工されているスリット４を破壊することで側板から天板が分離して内容商品を確実に取出すことが可能ある。
【００１１】
天板ｂと底板ｃの境界線上にある２箇所の開封口ｄから底板ｃの方向に開封することで、境界線１から９０度の角度で底板ｃと側板ａのりょうｇに向かって直線に加工している２本のスリット２が破壊され、次に側板ａから底板ｃに接するりょうｇの直線に加工しているスリット２から側板ａと底板ｃに接する角ｈに向かって加工されているスリット３が破壊して包装体を平伏上状態にすることが可能である。
尚、天板と底板の境界線上にある２箇所の開封口から天板の方向および底板の方向に開封を行った後に天板に加工されているスリット４を破壊して包装体を平伏状態にしてから内容商品を確実に取出すことも可能である。
【００１２】
図３に例示するように、スリット２およびスリット３は展開された段ボールを折り曲げて組立てるときに使用される接着剤５と重ならない位置に加工することで、接着剤５がスリット２およびスリット３の破壊を妨げることを抑制できる。
【００１３】
スリット２およびスリット３はＴＤ方向（横方向）に中空が流れている方向を有する側板に加工されており、スリット２はＴＤ方向（横方向）に中空が流れている方向に対して９０度の角度で加工を行い、スリット３はスリット２から角ｈに向かってＴＤ方向（横方向）に中空が流れている方向に近似する角度で加工を行うことにより、包装体に輸送上の落下および衝撃によってスリット３にかかる衝撃を起因として発生するスリット３の破壊をスリット２が抑制することにより、スリット３が破壊されることによって発生する包装体の歪みを防止して内容商品の商品価値を損なう損傷を抑制することが可能である。
【００１４】
図４に例示するように天板は側板から天板が分離、又は図５に例示するように側板と天板が共に包装体から分離、又は図６に例示するように天板と側板が天板と側板の角から分離して内容商品が取出せるスリットの加工が施されていればいかなるスリット加工が施されていてもよい。
【００１５】
以下、実施例により本発明をさらに説明するが、本発明はこれらの実施例に限定されるものではない。
【００１６】
〔易開梱性展開段ボールの作製〕
ＴＤ方向（横方向）に中空が流れている方向を有し、展開された段ボールの組立てに必要な折り曲げ箇所に罫線を加工し、且つＴＤ方向（横方向）に中空が流れている方向を有する側板に天板ｂと底板ｃの境界線１上に９０度の角度で天板ｂと側板ａのりょうｇおよび底板ｃと側板ａのりょうｇに向かって直線に２本のスリット２を加工し、側板ａから天板ｂに接するりょうｅの直線および側板ａから底板ｃに接するりょうｇの直線に加工しているスリット２から側板ａと天板ｃに接する角ｆおよび側板ａと底板ｃに接する角ｈに向かってスリット３を加工した。
天板は側板から天板が分離できるスリット、又は側板と天板が共に包装体から分離、又は天板と側板が天板と側板の角から分離して内容商品が取出せるスリットを加工した。
尚、段ボールの材質は厚み３ミリのＢフルートを有する段ボールを用いて作製した。
【００１７】
〔包装体の作製〕
内容製品は５０ｍＬの水が充填されている瓶に金属製のキャップを被せた商品１０本を材質がコートボール製の梱包箱に梱包した内容商品を用いて、易開梱性展開段ボールに内容商品を３箱梱包を行った包装体を作製した。
【００１８】
【表１】
2017210277.tif 000003
【００１９】
〔開梱を行ったスリット破壊率の評価〕
包装体を実施例別に１０箱準備し、包装体の２箇所の開封口から開封を行い、天板の取り除きと底板を平伏状態にした。このとき、スリット加工箇所の破れについて下記の基準に基づき評価した。評価結果はスリットの形状とスリットの間隔と共に表１に示した。
〇：スリット加工箇所の破れた確率が９０％以上
△：スリット加工箇所の破れた確率が７０％以上９０％未満
×：スリット加工箇所の破れた確率が７０％未満
【００２０】
〔易開梱段ボール包装体スリットの形状別破壊率の評価〕
易開梱性展開段ボールの作製において、スリット２とスリット３およびスリット４の形状別に包装体を作製し、包装体の２箇所の開封口から開封を行い、天板の取り除きと底板を平伏状態にした。このとき、スリット加工箇所の破れについて上記各評価を行った。
【００２１】
＜実施例１＞
段ボールの材質は厚み３ミリのＢフルートを用いてＴＤ方向（横方向）に中空が流れている方向を有し、展開された段ボールの組立てに必要な折り曲げ箇所に罫線を加工し、且つＴＤ方向（横方向）に中空が流れている方向を有する側板に天板ｂと底板ｃの境界線１上に９０度の角度で天板ｂと側板ａのりょうｇおよび底板ｃと側板ａのりょうｇに向かって直線に２本の図３に示すスリット２を加工し、側板ａから天板ｂに接するりょうｇの直線および側板ａから底板ｃに接するりょうｇの直線に加工しているスリット２から側板ａと天板ｂに接する
角ｆおよび側板ａと底板ｃに接する角ｈに向かってスリット３を加工し、天板ｂに加工を行うスリット４は対面する側板ａに向かって図４に示す側板から天板が分離できるスリットＸ１の加工を行い、上記各評価を行った。
【００２２】
＜実施例２＞
段ボールの材質は厚み３ミリのＢフルートを用いてＴＤ方向（横方向）に中空が流れている方向を有し、展開された段ボールの組立てに必要な折り曲げ箇所に罫線を加工し、且つＴＤ方向（横方向）に中空が流れている方向を有する側板に天板ｂと底板ｃの境界線１上に９０度の角度で底板ｃと側板ａのりょうｇに向かって直線に２本の図３に示すスリット２を加工し、側板ａから底板ｃに接するりょうｇの直線に加工しているスリット２から側板ａと底板ｃに接する角ｈに向かってスリット３を加工し、天板ｂ及び側板ａに加工を行うスリット４は天板ｂおよび側板ａに図５に示す側板と天板が共に包装体から分離できるスリットＸ２の加工を行い、上記各評価を行った。
【００２３】
＜実施例３＞
段ボールの材質は厚み３ミリのＢフルートを用いてＴＤ方向（横方向）に中空が流れている方向を有し、展開された段ボールの組立てに必要な折り曲げ箇所に罫線を加工し、且つＴＤ方向（横方向）に中空が流れている方向を有する側板に天板ｂと底板ｃの境界線１上に９０度の角度で天板ｂと側板ａのりょうｇおよび底板ｃと側板ａのりょうｇに向かって直線に２本の図３に示すスリット２を加工し、側板ａから天板ｂに接するりょうｇの直線および側板ａから底板ｃに接するりょうｇの直線に加工しているスリット２から側板ａと天板ｂに接する角ｆおよび側板ａと底板ｃに接する角ｈに向かってスリット３を加工し、天板ｂ及び側板ａに加工を行うスリット４は天板ｂと側板ａのりょうｅに図６に示す側板と天板が共に天板ｂと側板ａのりょうｅから分離して内容商品が取出せるスリットＸ３の加工を行い、上記各評価を行った。
【００２４】
＜比較例１＞
段ボールの材質は厚み３ミリのＢフルートを用いてＴＤ方向（横方向）に中空が流れている方向を有し、展開された段ボールの組立てに必要な折り曲げ箇所に罫線を加工し、且つＴＤ方向（横方向）に中空が流れている方向を有する側板に特許文献の特開平０９−２０７９３３および特開平０９−２０７９３４を参考にして側板ａに天板ｂと底板ｃの境界線１上から天板ｂと側板ａの角ｆおよび底板ｃと側板ａの角ｈに向かって直線に図７に示す八の字形と逆八の字形のスリットＸ４と側板から天板が分離して内容商品が取出せるスリットＸ５の加工を行い、上記各評価を行った。
【００２５】
表１の結果から分かるように、＜比較例１＞はスリット２が加工されていないことから開封口ｄの境界線１上から天板ｂと側板ａおよび底板ｃと側板ａの角へ開梱を行うと開封口ｄの境界線１上から天板ｂと側板ａおよび底板ｃと側板ａのりょうｇへ９０度方向にスリットを破壊する力が加わることから角ｆおよび角ｈ方向に加工されている八の字および逆八の字のスリットＸ４に沿ってスリットが破壊できないため、天板ｂを側板ａから分離するために加工されているスリットＸ５を破壊することができませんでした。
＜実施例１＞および＜実施例２＞および＜実施例３＞はスリット２が加工されていることから開封口ｄの境界線１上から天板ｂと側板ａおよび底板ｃと側板ａのりょうｇへ開梱を行うと開封口ｄの境界線１上から天板ｂと側板ａおよび底板ｃと側板ａのりょうｇへ９０度方向にスリット加工されているスリット２に並行してスリット２を破壊する力が加わることでスリット２は確実に破壊されて、スリット２の加工を行っていることでスリット２から角ｆおよび角ｈに向かって加工されているスリット３は段ボールのＴＤ方向（横方向）の中空が流れている方向に近似するスリット３が加工されていることによりスリットが破壊され易いことから確実に側板を開梱でき、包装体の天板を簡単に開梱できると共に内容商品を簡単に取出した後に開梱を行った包装体を平伏上状態にできる。
【００２６】
〔輸送上の落下、および衝撃による内容商品の損傷評価〕
＜実施例１＞および＜実施例２＞および＜実施例３＞の側板ａに加工を行っているスリット２およびスリット３は同じ形状であることから、＜実施例１＞を用いて包装体に輸送上の落下衝撃および走行衝撃によりスリットが破壊されることによって発生する内容商品の商品価値を損なう損傷を抑制できるか評価を行った。
又、表１の結果から分かるように、＜比較例１＞は実施例よりもスリットの破壊率が低いことから落下衝撃および走行衝撃による内容商品の損傷評価から除外した。
尚、スリットが破壊されるとがなく内容商品に損傷が観られた場合は段ボールの材質が不足していることにより衝撃を抑制できていないため、スリットの形状および加工位置によるものではないことから、評価から除外する。
【００２７】
〔輸送上の落下衝撃による内容商品の損傷評価〕
＜実施例１＞＜実施例２＞＜実施例３＞を用いて日本工業規格ＪＩＳ Ｚ ０２０２−１９９４ 包装貨物−落下試験の方法に基いて、落下衝撃によりスリットが破壊されることによって発生する内容商品の商品価値を損なう損傷について下記の基準に基づき評価し、評価結果は表２に示した。
試料は質量４，５００ｇである。
日本工業規格 ＪＩＳ Ｚ ０２００：２０１３ 包装貨物：性能試験方法一般通則の衝撃試験の区分レベル１の転送積替え回数が多く非常に大きな外力が加わるおそれがある程度および区分レベル３の転送積替えおよび加わる外力の大きさが通常想定される程度の２水準とする。
区分レベル１は落下高さは３０ｃｍから開始して１０ｃｍ毎に高さを上げて各高さ毎に累積で底板を鉄板を設置している床に向けて落下させて、８０ｃｍ高さで落下させたスリットおよび内容商品に損傷がないこと。
区分レベル３は落下高さ４０ｃｍから１０回繰り返して落下させてスリットおよび内容商品に損傷がないこと。
包装貨物の種類と取扱い方法、又は受渡当事者間の協定によって、りょうおよび面の落下試験の一部を省略することができことから、りょうからの落下は除外する。
上記を基に各試料毎に３箱を用いて、スリットが破壊されることによって発生する内容商品の損傷がないことを基準とする。
【００２８】
【表２】
2017210277.tif 000004
【００２９】
表２の結果から分かるように、スリット２およびスリット３は損傷が発生しないと共に内容商品の損傷が発生しないことから側板に加工を行うスリット２およびスリット３は輸送上の落下衝撃による強度を有している。
【００３０】
〔輸送上の傾斜衝撃による内容商品の損傷評価〕
＜実施例１＞＜実施例２＞＜実施例３＞を用いて日本工業規格ＪＩＳ Ｚ ０２００：２０１３ 包装貨物試験：傾斜衝撃試験の方法に基いて、傾斜衝撃によりスリットが破壊されることによって発生する内容商品の商品価値を損なう損傷について下記の基準に基づき評価し、評価結果は表３に示した。
試料は質量４，５００ｇである。
日本工業規格 ＪＩＳ Ｚ ０２００：２０１３ 包装貨物：性能試験方法一般通則の衝撃試験の区分レベル１の転送積替え回数が多く非常に大きな外力が加わるおそれがある程度および区分レベル３の転送積替えおよび加わる外力の大きさが通常想定される程度の２水準とする。
区分レベル１は衝突速度２ｍ／ｓでＴＤ方向（横方向）に中空が流れている側板およびＭＤ方向（縦方向）に中空が流れている側板を鉄板を設置している壁に衝突させてスリットおよび内容商品に損傷がないこと。
区分レベル３は衝突速度１ｍ／ｓでＴＤ方向（横方向）に中空が流れている側板およびＭＤ方向（縦方向）に中空が流れている側板を鉄板を設置している壁に衝突させてスリットおよび内容商品に損傷がないこと。
上記を基に各試料毎に３箱を用いて、スリットが破壊されることによって発生する内容商品の損傷がないことを基準とする。
【００３１】
【表３】
2017210277.tif 000005
【００３２】
表３の結果から分かるように、スリット２およびスリット３は損傷が発生しないと共に内容商品の損傷が発生しないことからＴＤ方向（横方向）に中空が流れている方向を有する側板に加工を行うスリット２およびスリット３は輸送上の落下衝撃に対する強度を有している。
【００３３】
表１および表２および表３の結果から分かるように、図８に示す易開梱段ボール包装体の展開図は天板および側板に側板から天板が分離、又は天板と側板が共に包装体から分離、又は天板と側板が天板と側板の角から分離に側板から天板が分離して内容商品が取出せるスリットの加工はいかなるスリット加工が施されていても包装体の側板を簡単に開封でき、且つ包装体を平伏上状態にできると共に、包装体に輸送上の落下および衝撃により側板のスリットが破壊されることによって発生する内容商品の商品価値を損なう損傷を抑制する。
【符号の説明】
【００３４】
ａ      側板
ｂ      天板
ｃ      底板
ｄ      開封口
ｅ      りょう
ｆ      角
ｇ      りょう
ｈ      角
ｉ      りょう
１      境界線
２      スリット
３      スリット
４      スリット
５      接着剤
Ｘ１    スリット形状
Ｘ２    スリット形状
Ｘ３    スリット形状
Ｘ４    スリット形状
Ｘ５    スリット形状
【図１】
2017210277.tif 000006
【図２】
2017210277.tif 000007
【図３】
2017210277.tif 000008
【図４】
2017210277.tif 000009
【図５】
2017210277.tif 000010
【図６】
2017210277.tif 000011
【図７】
2017210277.tif 000012
【図８】
2017210277.tif 000013